(57)【要約】【課題】開閉器の外部において衝突音を聞こえ易くすることのできる開閉器の衝突音発生装置を提供する。【解決手段】開閉器の衝突音発生装置２０は、開閉器の電気回路の開閉を切り替える主軸１を有する開閉機構と、主軸１を回転させるプランジャ１２及びプランジャ１２を駆動する電磁コイル１１を有するソレノイド１０とを備える開閉器に取り付けられる。開閉器の衝突音発生装置２０は、ソレノイド１０に取り付けられる取付部材３０と、取付部材３０に対して変位可能且つ、電磁コイル１１が励磁したときに電磁コイル１１に吸引されることでソレノイド１０の外面に当接して衝突音を発生する当接部材３５とを備える。【選択図】図１
2018142477.tif 000002
【特許請求の範囲】
【請求項１】
開閉器の電気回路の開閉を切り替える主軸を有する開閉機構と、前記主軸を回転させるプランジャ及び前記プランジャを駆動する電磁コイルを有するソレノイドと、を備える開閉器に取り付けられる開閉器の衝突音発生装置であって、
前記ソレノイドに取り付けられる取付部材と、
前記取付部材に対して変位可能且つ、前記電磁コイルが励磁したときに前記電磁コイルに吸引されることで前記ソレノイドの外面に当接して衝突音を発生する当接部材と、を備える
開閉器の衝突音発生装置。
【請求項２】
開閉器の電気回路の開閉を切り替える主軸を有する開閉機構と、前記主軸を回転させるプランジャ及び前記プランジャを駆動する電磁コイルを有するソレノイドと、前記主軸及び前記ソレノイドを収容するケースと、を備える開閉器に取り付けられる開閉器の衝突音発生装置であって、
前記ソレノイドに取り付けられる取付部材と、
前記取付部材に対して変位可能且つ、前記電磁コイルが励磁したときに前記電磁コイルに吸引されることで前記ケースの内面に当接して衝突音を発生する当接部材と、を備える
開閉器の衝突音発生装置。
【請求項３】
前記当接部材は、前記当接部材の一端側に設けられ、前記電磁コイルの励磁によって前記ソレノイドに吸着する吸着部と、前記当接部材の他端側に設けられ、前記ケースに当接する当接部と、を備える
請求項２に記載の開閉器の衝突音発生装置。
【請求項４】
前記取付部材は、前記プランジャが進退する進退方向と直交する外面側に位置する
請求項１〜３のいずれか一項に記載の開閉器の衝突音発生装置。
【請求項５】
前記取付部材は、前記プランジャが進退する進退方向と平行な外面側に位置する
請求項１〜３のいずれか一項に記載の開閉器の衝突音発生装置。
【請求項６】
前記当接部材の前記ソレノイドに吸引される部分を前記ソレノイドから離間する方向に付勢する付勢部材を備える
請求項１〜５のいずれか一項に記載の開閉器の衝突音発生装置。
【請求項７】
前記当接部材と前記ソレノイドとの離間距離を規制する規制部材を備える
請求項６に記載の開閉器の衝突音発生装置。
【発明の詳細な説明】
【技術分野】
【０００１】
本発明は、開閉器の衝突音発生装置に関する。
【背景技術】
【０００２】
開閉器においては、電気回路の開閉を手動で切り替える手動ハンドルに加えて、電気回路の開閉を自動で切り替えるソレノイドを備えたものがある。これら手動ハンドルとソレノイドとは、電気回路の開閉を切り替える主軸にそれぞれ連結され、主軸を回転させることで電気回路の開閉を切り替えている。このような開閉器では、電気回路の開閉を自動で切り替えた際に手動による切り替えと区別するために衝突音を発生させるようにしている（例えば、特許文献１参照）。
【０００３】
特許文献１に記載の開閉器では、ソレノイドに設けられたプランジャによって電気回路の開閉が切り替えられ、電磁コイルの励磁によってプランジャが電磁コイルに吸引されて、プランジャが呼び鉄に衝突することで衝突音が発生する。
【先行技術文献】
【特許文献】
【０００４】
【特許文献１】特許第３７３８５８０号
【発明の概要】
【発明が解決しようとする課題】
【０００５】
ところで、上記特許文献１に記載の開閉器では、ソレノイドの内部で衝突音が発生するため、開閉器の外部では衝突音が聞こえ難いおそれがある。なお、電気回路を閉じたとき及び開いたときのいずれにおいて衝突音が発生する開閉器であっても同様の課題があり、電気回路の開閉を自動のみで切り替える開閉器であっても同様の課題がある。
【０００６】
本発明は、こうした実情に鑑みてなされたものであり、その目的は、開閉器の外部において衝突音を聞こえ易くすることのできる開閉器の衝突音発生装置を提供することにある。
【課題を解決するための手段】
【０００７】
上記課題を解決する開閉器の衝突音発生装置は、開閉器の電気回路の開閉を切り替える主軸を有する開閉機構と、前記主軸を回転させるプランジャ及び前記プランジャを駆動する電磁コイルを有するソレノイドと、を備える開閉器に取り付けられる開閉器の衝突音発生装置であって、前記ソレノイドに取り付けられる取付部材と、前記取付部材に対して変位可能且つ、前記電磁コイルが励磁したときに前記電磁コイルに吸引されることで前記ソレノイドの外面に当接して衝突音を発生する当接部材と、を備える。
【０００８】
上記構成によれば、衝突音発生装置がソレノイドに取り付けられて、当接部材がソレノイドの外面に当接することによって衝突音が発生する。よって、ソレノイドの内部において衝突音を発生させていた従来技術よりも開閉器の外部において衝突音を聞こえ易くすることができる。
【０００９】
上記課題を解決する開閉器の衝突音発生装置は、開閉器の電気回路の開閉を切り替える主軸を有する開閉機構と、前記主軸を回転させるプランジャ及び前記プランジャを駆動する電磁コイルを有するソレノイドと、前記主軸及び前記ソレノイドを収容するケースと、を備える開閉器に取り付けられる開閉器の衝突音発生装置であって、前記ソレノイドに取り付けられる取付部材と、前記取付部材に対して変位可能且つ、前記電磁コイルが励磁したときに前記電磁コイルに吸引されることで前記ケースの内面に当接して衝突音を発生する当接部材と、を備える。
【００１０】
上記構成によれば、衝突音発生装置がソレノイドに取り付けられて、当接部材がケースの内面を当接することによって衝突音が発生する。よって、ソレノイドの内部において衝突音を発生させていた従来技術よりも開閉器の外部において衝突音を聞こえ易くすることができる。
【００１１】
上記開閉器の衝突音発生装置について、前記当接部材は、前記当接部材の一端側に設けられ、前記電磁コイルの励磁によって前記ソレノイドに吸着する吸着部と、前記当接部材の他端側に設けられ、前記ケースに当接する当接部と、を備えることが好ましい。
【００１２】
上記構成によれば、当接部材に吸着部と当接部とを両端側に別々に設けたため、簡単な構造で衝突音を発生させることができる。
上記開閉器の衝突音発生装置について、前記取付部材は、前記プランジャが進退する進退方向と直交する外面側に位置することが好ましい。
【００１３】
上記構成によれば、取付部材がプランジャの進退方向と直交する外面側に位置するため、プランジャの進退方向と平行な外面部分に衝突音発生装置の設置スペースを確保する必要がない。プランジャの進退方向と平行な外面部分に衝突音発生装置の設置スペースがない開閉器において特に有効である。
【００１４】
上記開閉器の衝突音発生装置について、前記取付部材は、前記プランジャが進退する進退方向と平行な外面側に位置することが好ましい。
上記構成によれば、取付部材がプランジャの進退方向と平行な外面側に位置するため、プランジャの進退方向と直交する外面部分に衝突音発生装置の設置スペースを確保する必要がない。プランジャの進退方向と直交する外面部分に衝突音発生装置の設置スペースがない開閉器において特に有効である。
【００１５】
上記開閉器の衝突音発生装置について、前記当接部材の前記ソレノイドに吸引される部分を前記ソレノイドから離間する方向に付勢する付勢部材を備えることが好ましい。
上記構成によれば、当接部材が付勢部材によってソレノイドから離間する方向に付勢されるため、当接部材をある程度の距離離れた位置から当接させることができ、衝突音を大きくすることができるようになる。
【００１６】
上記開閉器の衝突音発生装置について、前記当接部材と前記ソレノイドとの離間距離を規制する規制部材を備えることが好ましい。
上記構成によれば、当接部材が付勢部材によって離間する方向に付勢されつつ、当接部材とソレノイドとの離間距離が規制部材によって規制されるため、電磁コイルの励磁によって当接部材が吸引される距離を確保しつつ、当接部材をソレノイドに吸引させることができる。
【発明の効果】
【００１７】
本発明によれば、開閉器の外部において衝突音が聞こえ易くすることができる。
【図面の簡単な説明】
【００１８】
【図１】開閉器の衝突音発生装置の第１の実施形態の構成を示す側面図。
【図２】同実施形態の開閉器の衝突音発生装置の構成を示す正面図。
【図３】開閉器の衝突音発生装置の第２の実施形態の構成を示す上面図。
【図４】同実施形態の開閉器の衝突音発生装置の構成を示す側面図。
【図５】開閉器の衝突音発生装置の第３の実施形態の構成を示す上面図。
【図６】同実施形態の開閉器の衝突音発生装置の構成を示す側面図。
【図７】開閉器の衝突音発生装置の第４の実施形態の構成を示す上面図。
【図８】同実施形態の開閉器の衝突音発生装置の構成を示す側面図。
【発明を実施するための形態】
【００１９】
（第１の実施形態）
以下、図１及び図２を参照して、開閉器の衝突音発生装置の第１の実施形態について説明する。図１及び図２は、開閉器の電気回路を開閉する開閉機構の記載を省略し、電気回路の開閉を自動で切り替えるソレノイドと、このソレノイドに取り付けられる衝突音発生装置とを示している。
【００２０】
図１及び図２に示すように、開閉器の電気回路を開閉する開閉機構の主軸１には、ソレノイド１０のプランジャ１２が駆動する複数のリンクからなる被駆動部２が固定されている。そして、この被駆動部２に対向するようにソレノイド１０が設置されている。ソレノイド１０は、主軸１を回転させる円柱状のプランジャ１２と、プランジャ１２を駆動する円筒状の電磁コイル１１とを備えている。ソレノイド１０は、プッシュ式ソレノイド１０であって、通電されると、プランジャ１２がソレノイド１０から突出する。
【００２１】
ソレノイド１０は、対向する２枚の四角形の固定板１３，１４（第１固定板１３及び第２固定板１４）と、２枚の固定板１３，１４の間に配置されて固定板１３，１４を支持する４本の支持棒１５とを備えている。支持棒１５の両端部には、ボルト１６を螺着する図示しない雌螺子が形成されている。支持棒１５は、固定板１３，１４の四隅に配置されて、固定板１３，１４側からそれぞれボルト１６によって固定板１３，１４に固定されている。電磁コイル１１は、２枚の固定板１３，１４の間に挟持されるとともに、且つ４本の支持棒１５の内側に配置されている。電磁コイル１１には、第２固定板１４側において電源線１７が接続されている。プランジャ１２は、図１中左右方向を進退方向Ａとして、電磁コイル１１の図１中左側から突出する。このため、第１固定板１３の中央には、プランジャ１２が挿通する円形の貫通孔１３ａが形成されている。
【００２２】
ソレノイド１０には、衝突音発生装置２０が取り付けられている。衝突音発生装置２０は、ソレノイド１０に取り付けられる取付部材３０と、取付部材３０に対して変位可能且つ、電磁コイル１１が励磁したときに電磁コイル１１に吸引されることでソレノイド１０の外面に当接して衝突音を発生する当接部材３５とを備えている。取付部材３０は、プランジャ１２が進退する進退方向Ａと直交する第１固定板１３の外面１３ｂ側に位置する。第１固定板１３の図１中上側の側面１３ｃには、板状の取付板２１がボルト２２によって固定されている。取付板２１は、ソレノイド１０から離間する方向へ延出している。取付部材３０は、取付板２１に対して２組のボルト２３とナット２４とによって固定されている。取付部材３０は、取付板２１に固定され、進退方向ＡにおいてＬ字状である１対の固定部３１と、両固定部３１の先端に接続し、第１固定板１３と平行である接続部３２とを備えている。固定部３１の取付板２１と平行な第１板部３１ａは、ボルト２３とナット２４とによって取付板２１に固定される。固定部３１の第１板部３１ａと異なる第２板部３１ｂは、互いに対向して位置している。第２板部３１ｂには、円柱状の回転軸３３が固定されている。回転軸３３の両端には、ピン３４が固定されている。回転軸３３には、断面Ｕ字状に形成された当接部材３５が回転軸３３に対して回転可能に取り付けられている。取付部材３０は、図１中の上下方向に延出している。当接部材３５のプランジャ１２と対向する位置には、プランジャ１２を貫装するための開口部３５ａが設けられている。当接部材３５は、電磁コイル１１の励磁によってソレノイド１０に吸着される。当接部材３５の一端は、回転軸３３に取り付けられている。当接部材３５の他端は、ソレノイド１０の第１固定板１３の外面１３ｂに当接する当接部３５ｂを備えている。当接部３５ｂは、半球状の凸部である。
【００２３】
また、衝突音発生装置２０は、当接部材３５のソレノイド１０に吸引される部分をソレノイド１０から離間する方向に付勢する付勢部材としてのばね３６を備えている。ばね３６は、巻きばねであって、回転軸３３に環装されている。ばね３６の両端は、第２板部３１ｂにそれぞれ当接されている。また、ばね３６の中央は、当接部材３５の一端寄りに当接している。よって、ばね３６は、当接部材３５をソレノイド１０、言い換えれば第１固定板１３から離間する側へ付勢する。図１及び図２に実線で示すように、当接部材３５は、ソレノイド１０が励磁されていないときには、第１固定板１３から離間している。
【００２４】
次に、図１及び図２を参照して、上記のように構成された開閉器の衝突音発生装置２０の作用について説明する。なお、開閉器は、ソレノイド１０が通電されてプランジャ１２が突出することによって、主軸１が回転されて開閉器の電気回路が閉じた状態となる。
【００２５】
図１に二点鎖線で示すように、開閉器においてソレノイド１０による自動投入、言い換えれば電気回路の閉動作が行われる際には、ソレノイド１０が通電される。ソレノイド１０が通電されると、ソレノイド１０の電磁コイル１１が励磁して、プランジャ１２がソレノイド１０から突出するとともに、衝突音発生装置２０の当接部材３５がソレノイド１０の第１固定板１３に吸着される。当接部材３５が第１固定板１３に吸着されると、取付部材３０の回転軸３３を基点として当接部材３５が第１固定板１３側、図１の反時計方向へ回転して、当接部材３５の当接部３５ｂが第１固定板１３に衝突する。当接部材３５の当接部３５ｂが第１固定板１３に衝突すると、衝突音が発生する。よって、ソレノイド１０の内部で衝突音が発生するよりも大きな衝突音が発生し、開閉器の外部において衝突音を聞こえ易くすることができる。
【００２６】
また、開閉器を手動投入した後に自動投入する場合には、開閉器の投入は既に行われているために投入の動作音が発生しないが、ソレノイド１０の励磁による吸着によって衝突音発生装置２０が動作することにより衝突音が発生する。よって、手動投入から自動投入に切り替わったことを開閉器の外部において確認することができ、衝突音発生装置２０の効果を一層奏することができる。
【００２７】
以上説明したように、本実施形態によれば、以下の効果を奏することができる。
（１）衝突音発生装置２０がソレノイド１０に取り付けられて、ソレノイド１０の励磁による吸着によって当接部材３５がソレノイド１０の外面に当接することによって衝突音が発生する。よって、ソレノイド１０の内部において衝突音を発生させていた従来技術よりも開閉器の外部において衝突音を聞こえ易くすることができる。
【００２８】
（２）取付部材３０がプランジャ１２の進退方向Ａと直交する第１固定板１３の外面１３ｂ側に位置するため、プランジャ１２の進退方向Ａと平行な外面部分に衝突音発生装置２０の設置スペースを確保する必要がない。プランジャ１２の進退方向Ａと平行な外面部分に衝突音発生装置２０の設置スペースがない開閉器において特に有効である。
【００２９】
（３）当接部材３５がばね３６によってソレノイド１０から離間する方向に付勢されるため、当接部材３５をある程度の距離離れた位置から当接させることができ、衝突音を大きくすることができるようになる。
【００３０】
（第２の実施形態）
以下、図３及び図４を参照して、開閉器の衝突音発生装置の第２の実施形態について説明する。この実施形態の開閉器の衝突音発生装置は、ソレノイド１０におけるプランジャ１２の進退方向Ａと平行な外面側に位置する点が上記第１の実施形態と異なっている。以下、第１の実施形態との相違点を中心に説明する。
【００３１】
図３及び図４に示すように、衝突音発生装置４０は、ソレノイド１０に取り付けられる取付部材５０と、取付部材５０に対して変位可能且つ、電磁コイル１１が励磁したときに電磁コイル１１に吸引されることで開閉器のケース５の内面５ａに当接して衝突音を発生する当接部材５５とを備えている。また、衝突音発生装置４０は、開閉器のケース５とソレノイド１０との間に配置されている。取付部材５０は、進退方向Ａと平行な外面側に位置する。第１固定板１３の側面１３ｃには、板状且つＵ字状の取付板４１がボルト４２によって固定されている。取付板４１は、図３中の右方向へソレノイド１０に沿って延出している。取付部材５０は、取付板４１に対して２組のボルト４３とナット４４とによって固定されている。取付部材５０は、Ｕ字状の取付部５１と、取付部５１の両端部に接続されて取付板４１と平行である固定部５２とを備えている。固定部５２は、ボルト４３とナット４４とによって取付板４１に固定される。取付部５１には、円柱状の回転軸５３が固定されている。回転軸５３の両端には、ピン５４が固定されている。回転軸５３には、断面Ｕ字状に形成された当接部材５５が回転軸５３に対して回転可能に取り付けられている。取付部材５０は、図３中の右方向に延出している。すなわち、当接部材５５の図３中左側寄り、言い換えれば当接部材５５の延出方向における左側からほぼ１／３の位置に回転軸５３が取り付けられている。当接部材５５は、電磁コイル１１の励磁によってソレノイド１０に吸着される。当接部材５５は、当接部材５５の一端側、図３及び図４の右側に設けられ、電磁コイル１１の励磁によってソレノイド１０に吸着する吸着部５５ａと、当接部材５５の他端側、図３及び図４の左側に設けられ、ケース５に当接する当接部５５ｂとを備えている。吸着部５５ａは、当接部材５５の一端側全体が相当する。当接部材５５の一端側の幅は、当接部材５５の他端側の幅よりも広く形成されている。これにより、ソレノイド１０の励磁によって当接部材５５の一端側が他端側よりも吸着されやすくなっている。当接部５５ｂには、当接材５５ｃが取り付けられている。当接材５５ｃはボルトとナットとからなり、当接部材５５の当接部５５ｂとケース５の内面５ａとの離間距離を変更して調整可能である。当接部材５５の他端側は、開閉器のケース５の内面側へ折り曲げられて、ケース５の内面に近づけられている。
【００３２】
また、衝突音発生装置４０は、当接部材５５のソレノイド１０に吸引される吸着部５５ａをソレノイド１０から離間する方向に付勢する付勢部材としてのばね５６を備えている。ばね５６は、巻きばねであって、回転軸５３に環装されている。ばね５６の両端は、固定部５２にそれぞれ当接されている。また、ばね５６の中央は、当接部材５５に当接している。よって、ばね５６は、当接部材５５をソレノイド１０から離間する側へ付勢する。
【００３３】
さらに、衝突音発生装置４０は、当接部材５５とソレノイド１０との離間距離を規制する規制部材５７を備えている。規制部材５７は、断面Ｕ字状の規制部５７ａと、規制部５７ａの両端に接続されて取付板４１に固定される固定部５７ｂとを備えている。規制部５７ａは、ばね５６によってソレノイド１０から離間する側へ付勢された当接部材５５の吸着部５５ａが当接することで当接部材５５とソレノイド１０との離間距離を規制する。規制部材５７の固定部５７ｂは、取付部材５０の固定部５２を取付板４１に固定したボルト４３とナット４４とによって一緒に取付板４１に固定されている。よって、図３及び図４に二点鎖線で示すように、当接部材５５の吸着部５５ａは、ソレノイド１０が励磁されていないときには、規制部材５７に当接する位置でソレノイド１０から離間している。
【００３４】
次に、図３及び図４を参照して、上記のように構成された開閉器の衝突音発生装置４０の作用について説明する。なお、開閉器は、ソレノイド１０が通電されてプランジャ１２が突出することによって、主軸１が回転されて開閉器の電気回路が閉じた状態となる。
【００３５】
図４に二点鎖線で示すように、開閉器においてソレノイド１０が通電されていない状態では、当接部材５５の吸着部５５ａは、規制部材５７に当接する位置でソレノイド１０から離間している。
【００３６】
図４に実線で示すように、開閉器においてソレノイド１０による自動投入、言い換えれば電気回路の閉動作が行われる際には、ソレノイド１０が通電される。ソレノイド１０が通電されると、ソレノイド１０の電磁コイル１１が励磁して、プランジャ１２がソレノイド１０から突出するとともに、衝突音発生装置４０の当接部材５５の吸着部５５ａがソレノイド１０に吸着される。当接部材５５の吸着部５５ａがソレノイド１０に吸着されると、取付部材５０の回転軸５３によって当接部材５５の当接部５５ｂが開閉器のケース５の内面５ａ側へ回転して、当接部５５ｂの当接材５５ｃがケース５の内面５ａに衝突する。当接部５５ｂの当接材５５ｃがケース５の内面５ａに衝突すると、衝突音が発生する。よって、ソレノイド１０の内部で衝突音が発生するよりも、さらにはソレノイド１０の第１固定板１３で衝突音が発生するよりも大きな衝突音が発生し、開閉器の外部において衝突音を聞こえ易くすることができる。
【００３７】
また、開閉器を手動投入した後に自動投入する場合には、開閉器の投入は既に行われているために投入の動作音が発生しないが、ソレノイド１０の励磁による吸着によって衝突音発生装置４０が動作することにより衝突音が発生する。よって、手動投入から自動投入に切り替わったことを開閉器の外部において確認することができ、衝突音発生装置４０の効果を一層奏することができる。
【００３８】
以上説明したように、本実施形態によれば、以下の効果を奏することができる。
（１）衝突音発生装置４０がソレノイド１０に取り付けられて、当接部材３５の当接部５５ｂの当接材５５ｃがケース５の内面５ａに当接することによって衝突音が発生する。よって、ソレノイド１０の内部において衝突音を発生させていた従来技術よりも開閉器の外部において衝突音を聞こえ易くすることができる。
【００３９】
（２）当接部材５５に吸着部５５ａと当接部５５ｂとを両端側に別々に設けたため、簡単な構造で衝突音を発生させることができる。
（３）取付部材５０がプランジャ１２の進退方向Ａと平行な外面側に位置するため、プランジャ１２の進退方向Ａと直交する外面部分に衝突音発生装置４０の設置スペースを確保する必要がない。プランジャ１２の進退方向Ａと直交する外面部分に衝突音発生装置４０の設置スペースがない開閉器において特に有効である。
【００４０】
（４）当接部材５５がばね５６によってソレノイド１０から離間する方向に付勢されるため、当接部材５５をある程度の距離離れた位置から当接させることができ、衝突音を大きくすることができるようになる。
【００４１】
（５）当接部材５５がばね５６によって離間する方向に付勢されつつ、当接部材５５とソレノイド１０との離間距離が規制部材５７によって規制されるため、電磁コイル１１の励磁によって当接部材５５が吸引される距離を確保しつつ、当接部材５５をソレノイド１０に吸引させることができる。
【００４２】
（第３の実施形態）
以下、図５及び図６を参照して、開閉器の衝突音発生装置の第３の実施形態について説明する。この実施形態の開閉器の衝突音発生装置は、ソレノイド１０に補助板を設ける点が上記第２の実施形態と異なっている。以下、第２の実施形態との相違点を中心に説明する。
【００４３】
図５及び図６に示すように、衝突音発生装置４０は、電磁コイル１１の励磁によって当接部材５５を吸引するとともに、当接部材５５と当接する補助板６０を備えている。補助板６０は、第２固定板１４に対して２組の螺子６１によって固定されている。補助板６０は、第２固定板１４に固定される固定部６０ａと、固定部６０ａから当接部材５５の吸着部５５ａの先端部と当接するまで延出している吸着部６０ｂとを備えている。
【００４４】
次に、図５及び図６を参照して、上記のように構成された開閉器の衝突音発生装置４０の作用について説明する。なお、開閉器は、ソレノイド１０が通電されてプランジャ１２が突出することによって、主軸１が回転されて開閉器の電気回路が閉じた状態となる。
【００４５】
図６に二点鎖線で示すように、開閉器においてソレノイド１０が通電されていない状態では、当接部材５５の吸着部５５ａは、規制部材５７に当接する位置でソレノイド１０から離間している。
【００４６】
図６に実線で示すように、開閉器においてソレノイド１０による自動投入、言い換えれば電気回路の閉動作が行われる際には、ソレノイド１０が通電される。ソレノイド１０が通電されると、ソレノイド１０の電磁コイル１１が励磁して、プランジャ１２がソレノイド１０から突出するとともに、衝突音発生装置４０の当接部材５５の吸着部５５ａがソレノイド１０に吸着されて補助板６０に当接する。当接部材５５の吸着部５５ａがソレノイド１０に吸着されて補助板６０の吸着部６０ｂに当接すると、取付部材５０の回転軸５３によって当接部材５５の当接部５５ｂの当接材５５ｃが開閉器のケース５の内面５ａ側へ回転して、当接部材５５の当接材５５ｃがケース５の内面５ａに衝突する。当接部材５５の当接材５５ｃがケース５の内面５ａに衝突すると、衝突音が発生する。よって、ソレノイド１０の内部で衝突音が発生するよりも、さらにはソレノイド１０の第１固定板１３で衝突音が発生するよりも大きな衝突音が発生し、開閉器の外部において衝突音を聞こえ易くすることができる。また、当接部材５５の吸着部５５ａが補助板６０の吸着部６０ｂに当接するため、当接部材５５の変位範囲を規制することができ、当接部５５ｂの当接材５５ｃが開閉器のケース５の内面５ａに過度に衝突することを抑制することができる。
【００４７】
以上説明したように、本実施形態によれば、第２の実施形態の（１）〜（５）の効果に加え、以下の効果を奏することができる。
（６）当接部材５５が補助板６０に当接するため、当接部材５５の変位範囲を規制することができ、当接部５５ｂの当接材５５ｃが開閉器のケース５の内面５ａに過度に衝突することを抑制することができる。
【００４８】
（第４の実施形態）
以下、図７及び図８を参照して、開閉器の衝突音発生装置の第４の実施形態について説明する。この実施形態の開閉器の衝突音発生装置は、補助板６０が拡大している点、当接部材５５の吸着部５５ａに吸引板５８を設ける点、及び当接部材５５の当接部５５ｂをソレノイド１０の長さよりも延出した点が上記第３の実施形態と異なっている。以下、第３の実施形態との相違点を中心に説明する。
【００４９】
図７及び図８に示すように、衝突音発生装置４０は、電磁コイル１１の励磁によって当接部材５５を吸引するとともに、当接部材５５と当接する補助板６２を備えている。補助板６２の固定部６２ａは、第３の実施形態の補助板６０よりもソレノイド１０の幅方向に延出し、第２固定板１４に対して２組の螺子６１によって固定されている。補助板６２は、第２固定板１４に固定される固定部６２ａと、固定部６２ａの幅方向の中央から当接部材５５側へ延出する第１吸着部６２ｂと、固定部６２ａの幅方向の両端から当接部材５５側へ延出する第２吸着部６２ｃとを備えている。
【００５０】
当接部材５５の吸着部５５ａには、ソレノイド１０の幅方向に延出した吸引板５８が設けられている。吸引板５８は、ソレノイドの幅とほぼ同じ長さになっている。吸引板５８は、当接部材５５の吸着部５５ａに固定される固定部５８ａと、固定部５８ａからソレノイド１０の幅方向に延出する吸引部５８ｂとを備えている。当接部材５５の吸着部５５ａと吸引板５８の固定部５８ａとは、溶接によって固定されている。吸引部５８ｂは、ソレノイド１０の幅とほぼ同じ長さになっている。吸引部５８ｂは、補助板６２の第１吸着部６２ｂと第２吸着部６２ｃとの全てに当接する。補助板６２と吸引板５８とはソレノイド１０の幅とほぼ同じ長さになっているため、作業者が覗き込むことでケース５と吸引板５８との隙間、吸引板５８と補助板６２との隙間を確認することができる。また、吸引板５８を備えるため、当接部材５５の吸着部５５ａ側の重量を増加させることができる。また、吸引面積が増加するため、吸引力を増加させることができる。
【００５１】
当接部材５５の当接部５５ｂは、ソレノイド１０のプランジャ１２の進退方向Ａよりも突出した長さとなっている。このため、作業者がケース５と当接部材５５の当接部５５ｂとの隙間を確認することや、衝撃音発生の実動作等の確認を行うことができる。
【００５２】
次に、図７及び図８を参照して、上記のように構成された開閉器の衝突音発生装置４０の作用について説明する。なお、開閉器は、ソレノイド１０が通電されてプランジャ１２が突出することによって、主軸１が回転されて開閉器の電気回路が閉じた状態となる。
【００５３】
図８に二点鎖線で示すように、開閉器においてソレノイド１０が通電されていない状態では、当接部材５５の吸着部５５ａは、規制部材５７に当接する位置でソレノイド１０から離間している。
【００５４】
図８に実線で示すように、開閉器においてソレノイド１０による自動投入、言い換えれば電気回路の閉動作が行われる際には、ソレノイド１０が通電される。ソレノイド１０が通電されると、ソレノイド１０の電磁コイル１１が励磁して、プランジャ１２がソレノイド１０から突出するとともに、衝突音発生装置４０の当接部材５５の吸着部５５ａ及び吸引板５８がソレノイド１０に吸着されて補助板６２に当接する。当接部材５５の吸着部５５ａ及び吸引板５８がソレノイド１０に吸着されて補助板６２に当接すると、取付部材５０の回転軸５３によって当接部材５５の当接部５５ｂの当接材５５ｃが開閉器のケース５の内面５ａ側へ回転して、当接部材５５の当接材５５ｃがケース５の内面５ａに衝突する。当接部材５５の当接材５５ｃがケース５の内面５ａに衝突すると、衝突音が発生する。よって、ソレノイド１０の内部で衝突音が発生するよりも、さらにはソレノイド１０の第１固定板１３で衝突音が発生するよりも大きな衝突音が発生し、開閉器の外部において衝突音を聞こえ易くすることができる。また、当接部材５５に固定された吸引板５８が補助板６２に当接するため、当接部材５５の変位範囲を規制することができ、当接部５５ｂの当接材５５ｃが開閉器のケース５の内面５ａに過度に衝突することを抑制することができる。
【００５５】
以上説明したように、本実施形態によれば、第２の実施形態の（１）〜（５）の効果に加え、以下の効果を奏することができる。
（６）吸引板５８が補助板６２に当接するため、当接部材５５の変位範囲を規制することができ、当接部５５ｂの当接材５５ｃが開閉器のケース５の内面５ａに過度に衝突することを抑制することができる。
【００５６】
（７）吸引板５８と補助板６２とを備えることにより吸引面積が増加するため、吸引力を増加させることができ、大きな衝突音を発生させることができるようになる。
（８）補助板６２と吸引板５８とはソレノイドの幅とほぼ同じ長さになっているため、作業者が覗き込むことでケース５と吸引板５８との隙間、吸引板５８と補助板６２との隙間を確認することができる。
【００５７】
なお、上記実施形態は、これを適宜変更した以下の形態にて実施することもできる。
・上記第１の実施形態では、付勢部材としてばね３６を衝突音発生装置２０に備えたが、付勢部材を備えなくとも当接部材３５が第１固定板１３に接触しなければ、付勢部材を省略してもよい。
【００５８】
・上記第１の実施形態では、第１固定板１３に取付板２１を固定したが、第１固定板１３と取付板２１とを一体に形成してもよい。
・上記第１の実施形態では、当接部材３５に当接部３５ｂを設けたが、当接部３５ｂを省略して当接部材３５自体が第１固定板１３に当接するようにしてもよい。
【００５９】
・上記各２〜４の実施形態では、当接部材５５の当接部５５ｂに当接材５５ｃを設けたが、当接材５５ｃを省略して当接部５５ｂがケース５の内面５ａに直接当接するようにしてもよい。
【００６０】
・上記各２〜４の実施形態では、規制部材５７を衝突音発生装置４０に備えたが、規制部材５７を省略してもよい。
・上記第２〜４の実施形態では、付勢部材としてばね５６を衝突音発生装置４０に備えたが、付勢部材を備えなくとも当接部材５５がケース５の内面５ａに接触しなければ、付勢部材を省略してもよい。
【００６１】
・上記第２〜４の実施形態では、第１固定板１３に取付板４１を固定したが、第１固定板１３と取付板４１とを一体に形成してもよい。
・上記第４の実施形態では、当接部材５５に吸引板５８を固定したが、当接部材５５と吸引板５８とを一体に形成してもよい。
【００６２】
・上記第４の実施形態では、第２固定板１４に補助板６２を固定したが、第２固定板１４と補助板６２とを一体に形成してもよい。
・上記第４の実施形態では、当接部材５５の当接部５５ｂの長さをソレノイド１０の長さよりも長くしたが、当接部材５５の当接部５５ｂの長さをソレノイド１０の長さよりも短くしてもよい。
【００６３】
・上記各実施形態では、ソレノイド１０が通電されてプランジャ１２が突出することによって主軸１が回転されて開閉器の電気回路が閉じた状態となる開閉器とした。しかしながら、ソレノイド１０が通電されてプランジャ１２が突出することによって主軸１が回転されて開閉器の電気回路が開いた状態となる開閉器であってもよい。また、ソレノイド１０が通電されてプランジャ１２が吸引されることによって主軸１が回転されて開閉器の電気回路が閉じた状態となる開閉器としてもよい。また、ソレノイド１０が通電されてプランジャ１２が吸引されることによって主軸１が回転されて開閉器の電気回路が開いた状態となる開閉器としてもよい。そして、電気回路を閉じたとき及び開いたときのいずれにおいて衝突音が発生する開閉器であってもよい。
【００６４】
・上記実施形態において、開閉器の電気回路の開閉を自動のみで切り替える開閉器であってもよい。
【符号の説明】
【００６５】
１…主軸、２…被駆動部、５…ケース、５ａ…内面、１０…ソレノイド、１１…電磁コイル、１２…プランジャ、１３…第１固定板、１３ａ…貫通孔、１３ｂ…外面、１３ｃ…側面、１４…第２固定板、１５…支持棒、１６…ボルト、１７…電源線、２０…衝突音発生装置、２１…取付板、２２…ボルト、２３…ボルト、２４…ナット、３０…取付部材、３１…固定部、３１ａ…第１板部、３１ｂ…第２板部、３２…接続部、３３…回転軸、３４…ピン、３５…当接部材、３５ａ…開口部、３５ｂ…当接部、３６…付勢部材としてのばね、４０…衝突音発生装置、４１…取付板、４２…ボルト、４３…ボルト、４４…ナット、５０…取付部材、５１…取付部、５２…固定部、５３…回転軸、５４…ピン、５５…当接部材、５５ａ…吸着部、５５ｂ…当接部、５５ｃ…当接材、５６…付勢部材としてのばね、５７…規制部材、５７ａ…規制部、５７ｂ…固定部、５８…吸引板、５８ａ…固定部、５８ｂ…吸引部、６０…補助板、６０ａ…固定部、６０ｂ…吸着部、６１…螺子、６２…補助板、６２ａ…固定部、６２ｂ…第１吸着部、６２ｃ…第２吸着部。
【図１】
2018142477.tif 000003
【図２】
2018142477.tif 000004
【図３】
2018142477.tif 000005
【図４】
2018142477.tif 000006
【図５】
2018142477.tif 000007
【図６】
2018142477.tif 000008
【図７】
2018142477.tif 000009
【図８】
2018142477.tif 000010